(57)【要約】【課題】視認性がよく、使い勝手のよい車両用の誘導具を提供する。【解決手段】弾性素材による枠板と、該枠板に覆設される有色の膜体と、枠板の保持部および螺旋溝を有する保持棒と、該保持棒の一部をスライド可能にその内部に位置させるとともに該螺旋溝に近接して設けられる内部への突出部分および枠板保持部を有する保持筒とを有することを特徴とする。【選択図】図１
2009230088.tif 000002
【特許請求の範囲】
【請求項１】
弾性素材による枠板と、該枠板に覆設される有色の膜体と、枠板の保持部および螺旋溝を有する保持棒と、該保持棒の一部をスライド可能にその内部に位置させるとともに該螺旋溝に近接して設けられる内部への突出部分および枠板保持部を有する保持筒とを有することを特徴とする車輌誘導具。
【発明の詳細な説明】
【技術分野】
【０００１】  この発明は、主として道路工事等における通行車輌を誘導する場合に用いる車輌の誘導具に関する。
【背景技術】
【０００２】  従来より、道路工事等においては専用の旗や誘導灯などが用いられており、本発明にて示すように、開閉自在な誘導具は現在のところ見あたらない。
【発明の開示】
【発明が解決しようとする課題】
【０００３】  既述のように、道路工事等では作業領域確保のために、片側通行となるケースが多く、そのため作業領域の両端に人が立ち、通行車輌に合図をして円滑な通行を行うこととなる。
すなわち、一方の車輌に通行待機の合図を行い、他方の車輌に通行可能の合図を行ってこれを交互に反復することにて車両の通行を可能としている。この合図に用いるのが誘導具であり、一般的には旗や誘導灯が用いられる。旗は適宜長の棒を２本用意し、例えば一方の棒に白旗、他方に赤旗を取付けて通行可能のときに白旗を提示し、通行不可のときには赤旗を提示する。誘導灯の場合は発光機能を有する赤色の棒状体を手に持ち、その動きにて車輌に合図する。
しかし、旗の場合は水平に保持した棒から布片が垂れ下がるため、風があるとこの布片位置が安定せず、視認しにくいという問題がある。誘導灯の場合は棒状体のために遠方からは視認しにくく、また視認は使用者の動作に左右されやすいという問題がある。
本発明は、以上のような従来からの車輌誘導手段に関わる課題を解決するために発明されたもので、所定の形状・サイズの布片を安定的に維持して視認性に富んだ新規かつ有用なる物品を提供することを目的として開発されたものである。
【課題を解決するための手段】
【０００４】  課題を解決する手段として本発明は以下の構成とした。
すなわち、弾性素材による枠板と、該枠板に覆設される有色の膜体と、枠板の保持部および螺旋溝を有する保持棒と、該保持棒の一部をスライド可能にその内部に位置させるとともに該螺旋溝に近接して設けられる内部への突出部分および枠板保持部を有する保持筒とを有する。本発明は以上の構成よりなる車輌誘導具である。
【発明の効果】
【０００５】  本発明は以下の効果を有する。
１．枠板により安定した布体形状を保持できるので、視認効果が大である。
２．非使用時には枠体および布体をコンパクトに折りたたむことができ、視認効果の変化  が顕著である。
３．使用時の風による形状変化がない。
【発明を実施するための最良の形態】
【０００６】  以下、本発明の実施形態について説明する。
図において、１は有底細長管体による保持筒で、その側面には細巾のガイドスリット２が貫通して対称位置に設けられる。また、一方のガイドスリット端近傍には孔３が穿設される。この保持筒の一方端は開口であり、この開口部分に近接してクリップ４およびガイドピン５が各々設けられる。このクリップは市販の洗濯ばさみ同様の機構であり、指で押圧することにて開閉ができる。ガイドピンは円形の小棒体で、その一端は保持筒側面より突出し、他端は保持筒内部へ突出している。６は保持棒である。この保持棒は前記保持筒内をスライド可能な外径を有する木製の円柱体であり、その側面には螺旋溝７が刻設される。この螺旋溝は前記ガイドピン外径に近似した巾にて保持棒の一端近傍からスタートし、３６０度回って他端は保持棒の中間位置に達する。また、この螺旋溝はスタートして保持棒全長の約３割の位置までは保持棒軸心に対する角度変化は少なく、これをすぎると角度変化が大きくなるよう形成される。この保持棒先端は図６に示すように、棒端から所定位置までスリットと孔を組み合わせた枠板保持部８が形成される。
９は保持棒後端に設けられる遊動体である。この遊動体は段部を介して小径部と大径部を有する略円柱体であり、保持棒後端に穿設される孔内に小径部が位置し、大径部は保持筒内径よりやや小径である。また、保持棒側面に設けられた孔にピン１０が挿入固定され、このピン端は該段部に接近して位置する。従って、この遊動体は保持棒に対して回動可能であるとともに抜け落ちることなく保持筒内に位置し、本例ではこれを２個設けている。
１１は圧縮コイルスプリングで、その一端は保持筒端内面に接し、他端は遊動体に接して保持筒内に位置する。１２はストッパーで、保持棒端近傍側面に位置し、図５にて示すように段部を有する中空体内に圧縮コイルスプリングが位置し、保持棒側面の孔内に位置する。また、保持棒側面適所から孔内にピンが突出し、このピンの段部への当接にてストッパーの脱落が防止され、外圧にてこのストッパーは出入り可能である。【０００７】  １３は枠板で、細巾の薄鋼板であり、その一部は前記枠板保持部の孔内に位置し、対極の部分は前記クリップに押圧挟持される。１４は有色の円形布体で、その外周部分で枠板をくるんで枠板に縫着される。なお、保持棒端およびクリップ近傍の布体は適宜に切除される。この枠板および布体を取り付けた保持棒の一部は前記保持筒内に収納される。
保持棒後端近傍の遊動体には孔が穿設され、この孔内に小円柱形状のスライド棒１５が挿入固定され、該棒の両端は前記ガイドスリットより突出する。１６はスライド筒で、その内径は保持筒外径よりやや大きく、その内に保持筒を位置させつつ保持筒に沿ってスライド可能である。
本発明は２本一組で使用する。例えば一方の布体を白色、他方を赤色にしたものを用意する。使用時は図１のごとく一方の布体を開状態にして手に持ち、開状態の部分を体前方に突きだし、他方を閉状態にして垂下させるなどして見えないようにする。
次に、閉状態のものを開状態にし、開状態のものを閉状態にして同様に使用する。
このようにして色の異なる布体にて通行車輌に指示を行うことができ、また枠体の弾力にて開時の円形が保たれて良好なる視認性を得ることができる。
開状態から閉状態への移行はスライド筒の手動による移動にて行う。すなわち、スライド筒端に接してスライド棒が遊動体を貫通してガイドスリットより突出しているので、スライド棒もこのガイドスリットに沿って移動し、保持棒も移動する。この保持棒に刻設された螺旋溝に近接して保持筒に設けられたガイドピン端が位置するので、保持棒は回動しながら保持筒内に入って行き、これにより枠板および布体はねじれながらその直径を小さくするように変形し、やがて図９に示すようにコンパクトに縮まる。この移動時において、ストッパーは保持筒内面に押圧接触しながら保持筒内を回りながら移動し、やがて孔３の位置にいたり、ストッパーはこの孔より突出して保持筒に対する位置が定まり、布体の折り畳み状態が保持される。【０００８】  開状態にするには、このストッパーを指で押圧してその端面を保持筒内に押し込むと圧縮コイルスプリングの復帰力にて保持棒は初期位置へと復帰し、また枠板の復帰力も不勢されて布体は開状態となる。なお、保持棒端には遊動体が位置し、この遊動体に圧縮コイルスプリング端が接触しており、保持棒回動による該スプリングへのねじれ力を防止できる。また、螺旋溝を一部はその角度変化を小さく、次第に角度を大きくしたために、始めは枠板直径を小さくする方向への力が働き、次第にねじる方向への力となるために、枠板は略折曲８の字状に折りたたまれ、枠板の形状変化をより容易に行うことができる。なお、枠板は保持棒に対して着脱可能である。枠板の一方は開閉自在であるともに押圧挟持可能なるクリップに挟持され、他方は図６のように枠板保持部の孔内に位置し、このままでは取り外せないが、クリップから枠板を外した後、９０度回動させると枠板の厚さ方向とスリット方向とが一致するので、枠板を保持棒から容易に取り外すことができ、布体の洗浄や交換を行うことができる。
以上、本発明について記したが、既述のごとく枠板にて布体形状保持が可能なため、従来品に比べてより良好なる視認性を得ることができ、開状態への復帰をワンタッチで行うことができる有用なる物品を得ることができる。なお、本例では布体を用いたが、合成樹脂フィルムなど他の素材を用いてもよい。また、布体適所に反射材を設けることで夜間での視認性を向上させることができる。
【図面の簡単な説明】
【０００９】
【図１】  本発明の正面図
【図２】  本発明の裏面図
【図３】  本発明の保持棒の螺旋溝説明図
【図４】  本発明の要部説明図
【図５】  本発明の要部説明図  本発明の要部説明図
【図７】  本発明の要部説明図
【図８】  本発明の布体形状変化説明図（中間位置）
【図９】  本発明の布体形状変化説明図（折り畳み状態）
【符号の説明】
【００１０】  １    保持筒
２    ガイドスリット
３    孔
４    クリップ
５    ガイドピン
６    保持棒
７    螺旋溝
８    枠板保持部
９    遊動体
１０  ピン
１１  圧縮コイルスプリング
１２  ストッパー
１３  枠板
１４  布体
１５  スライド棒
１６  スライド筒
【図１】
2009230088.tif 000003
【図２】
2009230088.tif 000004
【図３】
2009230088.tif 000005
【図４】
2009230088.tif 000006
【図５】
2009230088.tif 000007
【図６】
2009230088.tif 000008
【図７】
2009230088.tif 000009
【図８】
2009230088.tif 000010
【図９】
2009230088.tif 000011
【手続補正書】
【提出日】平成20年8月18日(2008.8.18)
【手続補正１】
【補正対象書類名】明細書
【補正対象項目名】０００９
【補正方法】変更
【補正の内容】
【０００９】
【図１】本発明の正面図
【図２】本発明の裏面図
【図３】本発明の保持棒の螺旋溝説明図
【図４】本発明の要部説明図
【図５】本発明の要部説明図
【図６】本発明の要部説明図
【図７】本発明の要部説明図
【図８】本発明の布体形状変化説明図（中間位置）
【図９】本発明の布体形状変化説明図（折り畳み状態）